(57)【要約】      （修正有）【課題】収納スペースの大きいビニール袋を手の平に収まるほど小型化して携帯が容易にでき、必要に応じてすぐこのビニール袋を取り出して用いることができる携帯用のビニール袋内蔵用品を提供する。【解決手段】携帯用のビニール袋内蔵用品は、ビニール袋１が複数個接続され、接続端にはミシン目１５が設けられているビニール袋ユニットを収納する。ビニール袋１は折り畳まれ形態２０を呈し、中央列折れ線ＶＭを中央にして、また右側及び左側列折れ線ＶＲ、ＶＬを折れ線として折り畳まれ、第１、第４領域Ｙ１、Ｙ４が外面となり、第２及び第３領域Ｙ２、Ｙ３が密着し、かつ第１から第７の行の折れ線Ｈ１〜Ｈ７にかけてジグザクに折り畳まれ、第１から第４の列領域Ｙ１〜Ｙ４と第１から第８の行領域とから形成された各折り畳み片５５が、折り畳まれる前の形態２０に対し１／３２の大きさに縮小された、折り畳まれ形態５０を呈する。【選択図】図３
0003209908.tif 000002
【実用新案登録請求の範囲】
【請求項１】
ビニール袋が長手方向端部で複数個直列して接続端で接続されたビニール袋ユニットと該ビニール袋ユニットを収納する収納袋から形成される携帯用のビニール袋内臓用品において、
収納袋は、一面にビニール袋ユニットを取り出す取出口を有し、
ビニール袋は、
接続端にミシン目が設けられていて、ミシン目から切り離し可能であり、ミシン目から切り離されたときに、開放端の上端及び閉塞端下端を有し、
直角方向の両端を右端と左端、対抗面の上下両端方向の折れ目線を列の折れ線、直角方向の折れ目線を行の折れ線、対抗面のそれぞれを第１の面と第２の面、それぞれの面の外側を第１の面の外面、第１の面の内面、及び第２の面の外面、第２の面の内面と定義したときに、
右端と左端とが対抗面の内側に位置するように折り畳まれて第１の面の内側及び第２の面の内側内で対抗配置され、密着した、折り畳まれ形態を呈し、
列方向と行方向との両方向に連続して折り畳まれた各折り畳み片が、前記折り畳まれ形態に対して、１／３２の大きさに縮小された、折り畳まれ形態を呈し、
当該折り畳み片の最下位の折り畳み片が隣接するビニール袋の最上位の折り畳み片に密着し、最上位の折り畳み片が前記取出口に密着し、
もって、上述した折り畳まれた、接続されたビニール袋からなるビニール袋ユニットが、収納袋に収納されていること
を特徴とする携帯用のビニール袋内臓用品。
【請求項２】
ビニール袋が長手方向端部で複数個直列して接続端で接続されたビニール袋ユニットと該ビニール袋ユニットを収納する収納袋から形成される携帯用のビニール袋内臓用品において、
収納袋は、一面にビニール袋ユニットを取り出す取出口を有し、
ビニール袋は、
接続端にミシン目が設けられていて、ミシン目から切り離し可能であり、ミシン目から切り離されたときに、開放端の上端及び閉塞端の下端を有し、
直角方向の両端を右端と左端、対抗面の上下両端方向の折れ目線を列の折れ線、直角方向の折れ目線を行の折れ線、対抗面のそれぞれを第１の面と第２の面、それぞれの面の外側を第１の面の外面、第１の面の内面、及び第２の面の外面、第２の面の内面と定義したときに、
右端と左端とが対抗面の内側に位置するように折り畳まれて第１の面の内側及び第２の面の内側内で対抗配置され、密着した、折り畳まれ形態を呈し、
当該折り畳み形態の状態のビニール袋の面上で、中央に形成される列の折れ線を中央列折れ線、右側に形成される列の折れ線を右側列折れ線、左側に形成される列の折れ線を左側列折れ線、行の折れ線を下方から上方に向けて等間隔に第１の行の折れ線から第７の行の折れ線を定義し、列の折れ線で区画される領域を左側から右側に向けて第１の列領域〜第４の列領域として、また行の折れ線で区画される領域を下端側から上側に向けての第１の行領域〜第８の行領域を定義したときに、
中央列折れ線を中央にして、また右側列折れ線及び左側列折れ線を折れ線として折り畳まれた第１及び第４列領域が外面となり、第２及び第３の列領域が密着し、かつ第１の行折れ線から第７の行の折れ線にかけてジグザクに折り畳まれた、第１の列領域〜第４の列領域と第１の行領域〜第８の行領域とから形成された各折り畳み片が、前記折り畳まれ形態に対して、１／３２の大きさに縮小された、折り畳まれ形態を呈し、
当該折り畳み片の最下位の折り畳み片が隣接するビニール袋の最上位の折り畳み片に密着し、最上位の折り畳み片が前記取出口に密着し、
もって、上述した折り畳まれた、接続されたビニール袋からなるビニール袋ユニットが、収納袋に収納されていること
を特徴とする携帯用のビニール袋内臓用品。
【考案の詳細な説明】
【技術分野】
【０００１】
本考案は、携帯用のビニール袋内臓用品に関する。
【背景技術】
【０００２】
従来、折り畳まれた複数個のビニール袋からなるビニール袋を内蔵するビニール袋内臓用品としては種々のものが知られている。
【０００３】
例えば、特許文献１には、ビニール袋収納箱は、横長の直方体形をなした紙製の箱体の内部には交互に折り畳まれて積層された四角形のビニール袋が収納され、箱体内部のビニール袋を１枚ずつ取り出す取出し口が開口形成されており、このビニール袋は、一辺を上部の開口部として形成するように重なり合う一方及び他方のシート体により構成され、箱体の取出し口から引っ張り出されるビニール袋を収納するビニール袋収納箱が開示されている。
【先行技術文献】
【特許文献】
【０００４】
【特許文献１】特開２０１６−１９０６７８号公報
【考案の概要】
【考案が解決しようとする課題】
【０００５】
近年では、手の平に収まるほど小型化されて携帯が容易にでき、またハンドバック等の小さな持ち運び用の鞄にもスペースを取らずに収納することができ、必要に応じてすぐ鞄より取り出し、ビニール袋を取り出して用いることができる携帯用のビニール袋内臓用品が求められている。
【０００６】
特許文献１の構造では、横長の直方体形をなした箱体、つまり手のひらに収まらない大きな箱体内にビニール袋を収納する構造であるために、小さい鞄等に収納して携帯することが困難であり、持ち運びをするには困難となる。
【０００７】
ここで、ビニール袋及びこのビニール袋の収容袋の小型化は、ビニール袋の収納スペースを小さくなってしまうが、ビニール袋の収納スペースを小さくしすぎてしまうと、このビニール袋を使用する際に収納スペースが小さいビニール袋のため、利用範囲が制限されてしまう問題があるので、小型化する場合であってもビニール袋の収納スペースはある程度確保される必要がある。
【０００８】
本考案は、かかる点に鑑み、収納スペースの大きいビニール袋を手の平に収まるほど小型化して携帯が容易にでき、必要に応じてすぐこのビニール袋を取り出して用いることができる携帯用のビニール袋内臓用品を提供することを目的とする。
【課題を解決するための手段】
【０００９】
本考案の携帯用のビニール袋内臓用品は、
ビニール袋が長手方向端部で複数個直列して接続端で接続されたビニール袋ユニットと該ビニール袋ユニットを収納する収納袋から形成される携帯用のビニール袋内臓用品において、
収納袋は、一面にビニール袋ユニットを取り出す取出口を有し、
ビニール袋は、
接続端にミシン目が設けられていて、ミシン目から切り離し可能であり、ミシン目から切り離されたときに、開放端の上端及び閉塞端の下端を有し、
直角方向の両端を右端と左端、対抗面の上下両端方向の折れ目線を列の折れ線、直角方向の折れ目線を行の折れ線、対抗面のそれぞれを第１の面と第２の面、それぞれの面の外側を第１の面の外面、第１の面の内面、及び第２の面の外面、第２の面の内面と定義したときに、
右端と左端とが対抗面の内側に位置するように折り畳まれて第１の面の内側及び第２の面の内側内で対抗配置され、密着した、折り畳まれ形態を呈し、
列方向と行方向との両方向に連続して折り畳まれた各折り畳み片が、前記折り畳まれ形態に対して、１／３２の大きさに縮小された、折り畳まれ形態を呈し、
当該折り畳み片の最下位の折り畳み片が隣接するビニール袋の最上位の折り畳み片に密着し、最上位の折り畳み片が前記取出口に密着し、
もって、上述した折り畳まれた、接続されたビニール袋からなるビニール袋ユニットが、収納袋に収納されていること
を特徴としている。
【００１０】
本考案の携帯用のビニール袋内臓用品は、ビニール袋が長手方向端部で複数個直列して接続端で接続されたビニール袋ユニットと該ビニール袋ユニットを収納する収納袋から形成される携帯用のビニール袋内臓用品において、
収納袋は、一面にビニール袋ユニットを取り出す取出口を有し、
ビニール袋は、
接続端にミシン目が設けられていて、ミシン目から切り離し可能であり、ミシン目から切り離されたときに、開放端の上端及び閉塞端の下端を有し、
直角方向の両端を右端と左端、対抗面の上下両端方向の折れ目線を列の折れ線、直角方向の折れ目線を行の折れ線、対抗面のそれぞれを第１の面と第２の面、それぞれの面の外側を第１の面の外面、第１の面の内面、及び第２の面の外面、第２の面の内面と定義したときに、
右端と左端とが対抗面の内側に位置するように折り畳まれて第１の面の内側及び第２の面の内側内で対抗配置され、密着した、折り畳まれ形態を呈し、
当該折り畳み形態の状態のビニール袋の面上で、中央に形成される列の折れ線を中央列折れ線、右側に形成される列の折れ線を右側列折れ線、左側に形成される列の折れ線を左側列折れ線、行の折れ線を下方から上方に向けて等間隔に第１の行の折れ線から第７の行の折れ線を定義し、列の折れ線で区画される領域を左側から右側に向けて第１の列領域〜第４の列領域として、また行の折れ線で区画される領域を下端側から上側に向けての第１の行領域〜第８の行領域を定義したときに、
中央列折れ線を中央にして、また右側列折れ線及び左側列折れ線を折れ線として折り畳まれた第１及び第４列領域が外面となり、第２及び第３の列領域が密着し、かつ第１の行折れ線から第７の行の折れ線にかけてジグザクに折り畳まれた、第１の列領域〜第４の列領域と第１の行領域〜第８の行領域とから形成された各折り畳み片が、前記折り畳まれ形態に対して、１／３２の大きさに縮小された、折り畳まれ形態を呈し、
当該折り畳み片の最下位の折り畳み片が隣接するビニール袋の最上位の折り畳み片に密着し、最上位の折り畳み片が前記取出口に密着し、
もって、上述した折り畳まれた、接続されたビニール袋からなるビニール袋ユニットが、収納袋に収納されていること
を特徴としている。
【考案の効果】
【００１１】
本考案によって、収納スペースの大きいビニール袋を手の平に収まるほど小型化して携帯が容易にでき、必要に応じてすぐこのビニール袋を取り出して用いることができる携帯用のビニール袋内臓用品を提供することができる。
【図面の簡単な説明】
【００１２】
【図１】本考案の実施例における携帯用のビニール袋内臓用品に収納されるビニール袋ユニットのビニール袋の構造を示す図。
【図２】本考案の実施例におけるビニール袋ユニットが折り畳まれる際に定義される領域を説明する図。
【図３】本考案の実施例におけるビニール袋ユニットが折り畳まれる状況を説明する図。
【図４】（ａ）は図３のビニール袋ユニットの最上位のビニール袋を展開した図であり、（ｂ）は図３のビニール袋ユニットを側面から見た図である。
【図５】本考案の実施例におけるビニール袋ユニットが収納された携帯用のビニール袋内臓用品の構造を説明する図。
【図６】本考案の実施例における携帯用のビニール袋内臓用品からビニール袋ユニットが取り出される状況を説明する図。
【考案を実施するための形態】
【００１３】
以下、考案を実施するための形態を図面に基づいて説明する。
【００１４】
図１は、本考案の実施例（以下、本実施例と称する。）における携帯用のビニール袋内臓用品１００に収納されるビニール袋ユニット１０のビニール袋１の構造を示す図である。図２は、本実施例におけるビニール袋ユニット１０が折り畳まれる際に定義される領域を説明する図である。図３は、本考案の実施例におけるビニール袋ユニット１０が折り畳まれる状況を説明する図である。図４（ａ）は、図３のビニール袋ユニット１０の最上位のビニール袋１を展開した図であり、図４（ｂ）は図３のビニール袋ユニット１０を側面から見た図である。図５は、本実施例におけるビニール袋ユニット１０が収納された携帯用のビニール袋内臓用品１００の構造を説明する図である。図６は、本実施例における携帯用のビニール袋内臓用品１００からビニール袋ユニット１０が取り出される状況を説明する図である。
【００１５】
本実施例の携帯用のビニール袋内臓用品１００は、ビニール袋１が長手方向端部で複数個直列して接続端１３で接続されたビニール袋ユニット１０とこのビニール袋ユニット１０を収納する収納袋９０とから形成される。また、収納袋９０は、一面にビニール袋ユニット１０を取り出す取出口９４を有する。
【００１６】
以下、本考案の実施例における携帯用のビニール袋内臓用品１００、ビニール袋１およびビニール袋ユニット１０について説明する。
【００１７】
ビニール袋１は、接続端１３にミシン目１５が設けられていて、ミシン目１５から切り離し可能であり、ミシン目１５から切り離されたときに、開放端の上端１１及び閉塞端の下端１２を有する。また、直角方向の両端を右端８と左端９、対抗面の上下両端方向の折れ目線を列の折れ線Ｖ、直角方向の折れ目線を行の折れ線Ｈ、対抗面のそれぞれを第１の面２と第２の面３、それぞれの面の外側を第１の外面４と第１の内面５、第２の外面６と第２の内面７と定義したときに、右端８と左端９とが対抗面の内側に位置するように折り畳まれて第１の面２の内側及び第２の面３の内側内で対抗配置され、密着した、折り畳まれ形態２０を呈する。
【００１８】
また、列方向と行方向との両方向に連続して折り畳まれた各折り畳み片５５が、折り畳まれ形態２０に対して、１／３２の大きさに縮小された、折り畳まれ形態５０を呈する。そして、当該折り畳み片５５の最下位の折り畳み片５５が隣接するビニール袋の最上位の折り畳み片５５Ａに密着し、最上位の折り畳み片５５が取出口９４に密着し、もって、上述した折り畳まれた、接続されたビニール袋１０からなるビニール袋ユニット１０が、収納袋９０に収納されている。
【００１９】
ここで、本実施例については、ビニール袋１は、当該折り畳み形態２０の状態のビニール袋１の面上で、中央に形成される列の折れ線を中央列折れ線ＶＭ、右側に形成される列の折れ線を右側列折れ線ＶＲ、左側に形成される列の折れ線を左側列折れ線ＶＬ、行の折れ線を下方から上方に向けて等間隔に第１の行の折れ線Ｈ１から第７の行の折れ線Ｈ７を定義し、列の折れ線で区画される領域を左側から右側に向けて第１の列領域Ｙ１〜第４の列領域Ｙ４として、また行の折れ線で区画される領域を下端側から上側に向けての第１の行領域Ｘ１〜第８の行領域Ｘ８を定義したときに、次の手順でビニール袋１を折り畳む。
【００２０】
中央列折れ線ＶＭを中央にして、また右側列折れ線ＶＲ及び左側列折れ線ＶＬを折れ線として折り畳まれた第１及び第４列領域Ｙ１、Ｙ４が外面となり、第２及び第３の列領域Ｙ２、Ｙ３とが密着し、かつ第１の行折れ線Ｈ１から第７の行の折れ線Ｈ７にかけてジグザクに折り畳まれた、第１の列領域Ｙ１〜第４の列領域Ｙ４と第１の行領域Ｘ１〜第８の行領域Ｘ８とから形成された各折り畳み片５５が、前記折り畳まれ形態２０に対して、１／３２の大きさに縮小された、折り畳まれ形態５０を呈する。以下、ビニール袋１、ビニール袋ユニット１０、携帯用のビニール袋内臓用品１００について詳述する。
【００２１】
ビニール袋１は、一般的なポリエチレン製の薄膜のものが用いられるが、酸化防止剤や滑材など、袋としての機能を維持・向上させる添加物を含めたものを用いてもよい。また、ビニール袋１の彩色は白色でもよいし、無色透明でもよいし、他の色であってもよい。また、表面には文字等の印字やデザイン等の意匠を施してもよい。
【００２２】
ビニール袋ユニット１０は、本実施例では１０個のビニール袋１、１Ａ、１Ｂ、１Ｃ、１Ｄ、１Ｅ、１Ｆ、１Ｇ、１Ｈ、１Ｉが接続されてなるが、接続するビニール袋１の数はこれ以外であってもよい。
【００２３】
また、複数個のビニール袋１が接続されたビニール袋ユニット１０は、最上端のビニール袋１の上端部は開口されており、下端部は溶着されて閉口されており、更にこの下端部の最下端つまり接続端１３は、他のビニール袋１Ａの上端部と接続されている。また、この接続端１３には幅方向に沿って断続的な切れ目であるミシン目１５が設けられており、これにより、最上端のビニール袋１と他のビニール袋１Ａの上端部の接続も断続的となる。このような構造であるビニール袋１、１Ａは、人の手によりそれぞれが引っ張られることにより断続的な接続箇所も切り離されてもってそれぞれのビニール袋１、１Ａも切り離されることとなる。
【００２４】
また、ビニール袋ユニット１０の最下端のビニール袋１Ｉは、上端部は他のビニール袋１Ｈの最下端つまり接続端１３と接続されている。この接続箇所には、上述同様ミシン目が設けられている。また、ビニール袋１Ｉの下端部は溶着されて閉口されている。
【００２５】
また、ビニール袋ユニット１０のビニール袋１Ａ、１Ｂ、１Ｃ、１Ｄ、１Ｅ、１Ｆ、１Ｇ、１Ｈは、上端部は他のビニール袋の最下端と接続されており、下端部は固着されて閉口されており、更にこの下端部の接続端１３は、他のビニール袋の上端部と接続されている。これら接続端１３には、上述同様ミシン目１５が設けられている。ここで、下端部の固着は、加熱圧着等により固着されるが、閉口されていればよい。
【００２６】
また、ビニール袋１が第１の折り畳み形態２０を呈する際に、上述の通り、右端８と左端９とが対抗面の内側に位置するように折り畳まれて対抗配置されて、折り畳まれた第１の外面４と第２の外面６が、第１の内面５と第１の面の内面２Ｂそして第２の内面７と第２の面の内面３Ｂとが密着し、この状態で、閉塞端１２が固着される。これにより、これら第１の外面４と第１の内面５と第２の外面６と第２の内面７とにより、ビニール袋１には折込マチが形成される。これにより、ビニール袋１は、ミシン目１５から切り取って開口することにより、収納スペースを大きく確保することができる。
【００２７】
次に、図２、図３を用いて、このビニール袋ユニット１０が折り畳まれて収納袋９０に収納される手順を説明する。また、以下、図示にて表れている面側を表面側とし、図示にて隠れている面側を裏面側とも称することがある。
【００２８】
図２に示すように、Ｙ１、Ｙ２、Ｙ３列によって区画される領域は、中央列折れ線ＶＭ、右側列折れ線ＶＲ、左側列折れ線ＶＬによって区切られ、またこれら中央列折れ線ＶＭ、右側列折れ線ＶＲ、左側列折れ線ＶＬが縦方向の折れ線となる。本実施例では、この中央列折れ線ＶＭ、右側列折れ線ＶＲ、左側列折れ線ＶＬの間隔は、１／４幅ごとに設けられる。つまり中央列折れ線ＶＭ、右側列折れ線ＶＲ、左側列折れ線ＶＬの間隔は、それぞれ第１の面２もしくは第２の面３の１／４幅、２／４幅、３／４幅となる。このようにすることで、折り畳み形状が幾何学的に整った折り畳みを行うことができる。この幅は折り畳み形状が幾何学的に整った折り畳みを行うことができれば別の幅であってもよい。
【００２９】
また、Ｘ１、Ｘ２、Ｘ３、Ｘ４、Ｘ５、Ｘ６、Ｘ７、Ｘ８行によって区画される領域は、行の折れ線Ｈ１、Ｈ２、Ｈ３、Ｈ４、Ｈ５、Ｈ６、Ｈ７によって区切られ、またこの行の折れ線Ｈ１、Ｈ２、Ｈ３、Ｈ４、Ｈ５、Ｈ６、Ｈ７が横方向の折れ線となる。本実施例では、この行の折れ線Ｈ１、Ｈ２、Ｈ３、Ｈ４、Ｈ５、Ｈ６、Ｈ７の間隔は、１／８長さごとに設けられる。つまり横方向区画線Ｈ１、Ｈ２、Ｈ３、Ｈ４、Ｈ５、Ｈ６、Ｈ７の間隔は、それぞれ第１の面２もしくは第２の面３の１／８長さ、２／８長さ、３／８長さ、４／８長さ、５／８長さ、６／８長さ、７／８長さとなる。このようにすることで、折り畳み形状が幾何学的に整った折り畳みを行うことができる。この長さは折り畳み形状が幾何学的に整った折り畳みを行うことができれば別の長さであってもよい。
【００３０】
このようにビニール袋１は、中央列折れ線ＶＭ、右側列折れ線ＶＲ、左側列折れ線ＶＬと行の折れ線Ｈ１、Ｈ２、Ｈ３、Ｈ４、Ｈ５、Ｈ６、Ｈ７により区画された領域を有しており、これにより図２に示すように、ビニール袋１は、外面２に、Ｙ１〜Ｙ４の列の領域とＸ１〜Ｘ８の行の領域を有し、８行４列の行列となる３２個の領域を有する。また、裏面となる第２の外面３についても、上述同様に３２個の領域を有する。
【００３１】
続いて折り畳みの手順について説明する。図３（ａ）に示すように第１の折り畳み形態２０となっているビニール袋１は、Ｄ１、Ｄ２の方向に折られた後にＤ３、Ｄ４の方向に折られる。つまり、ビニール袋１の第１の面２は、図３（ｂ）に示すように中央列折れ線ＶＭに沿って谷形状に谷折りされた後に、右側列折れ線ＶＲ、左側列折れ線ＶＬに沿って折られて図３（ｃ）の状態となり、そして図３（ｄ）に示すように、第１７の領域から第２４の領域の外面２と第２５の領域から第３２の領域の外面２とが密着する。つまり、第１の列領域Ｙ２の第１の外面２が第３の列領域Ｙ３の第１の外面２に密着する。
【００３２】
ここで、この折り畳み形態のビニール袋１は、表側には第１から第８の領域つまり第１の列領域Ｙ１の行列の領域が表れて、裏側には第９から第１６の領域つまり第２の列領域Ｙ２が表れることとなる。つまり、第１及び第４列領域Ｙ１、Ｙ４が外面となる。以下、これらの面について、表側の面をＳ１〜Ｓ８とし、裏側の面をＳ’１〜Ｓ’８とする。
【００３３】
次に、図３（ｅ）に示すように、Ｄ５とＤ６もしくはＤ７とＤ８の方向に交互に折り畳まれる。そして、図３（ｆ）に示すように、第１の行折れ線Ｈ１から第７の行の折れ線Ｈ７にかけてジグザクに折りたたまれた第１列領域Ｙ１及び第４列領域Ｙ４の各隣接する領域の第１の外面２がそれぞれ密着する。つまり、表側の面Ｓ１〜Ｓ８もしくは裏側の面Ｓ’１〜Ｓ’８は、各業の折れ線Ｈ１、Ｈ２、Ｈ３、Ｈ４、Ｈ５、Ｈ６、Ｈ７から交互に山折り谷折りされ折り畳まれて接して表側の面Ｓ１〜Ｓ８もしくは裏側の面Ｓ’１〜Ｓ’８の隣接する面同士が接して密着する。
【００３４】
これを言い換えると、第１行第４列の外面２と第２行第４列の外面２とが接し、第２行第１列の外面２と第３行第１列の外面２とが接し、第３行第４列の外面２と第４行第４列の外面２とが接し、第４行第１列の外面２と第５行第１列の外面２とが接し、第５行第４列の外面２と第６行第４列の外面２とが接し、第６行第１列の外面２と第７行第１列の外面２とが接し、第７行第４列の外面２と第８行第４列の外面２とが接し、第８行第１列の外面２とこのビニール袋１の上端部に接続されるビニール袋の第１行第１列の外面とが接して若しくは第１行第１列の外面２とこのビニール袋１の下端部に接続されるビニール袋の第８行第１列の外面とが接する。
【００３５】
ここで、折り畳まれたビニール袋１は、最終的に図３（ｆ）に示すように折り畳み片５５を３２個有することとなる。この折り畳み片５５は、上述のＳ１の領域を例に説明すると、面Ｓ１、面Ｓ’１、Ｘ１Ｙ１とＸ１Ｙ４の領域のビニール袋、およびその内部に折り畳まれたＸ１Ｙ２とＸ１Ｙ３の領域のビニール袋を含む。
【００３６】
このようにして、図３（ｆ）に示すように、列方向と行方向との両方向に連続して折り畳まれた各折り畳み片５５は図３（ｇ）で示す状態となり、折り畳まれ形態２０に対して、１／３２の大きさに縮小された、折り畳まれ形態５０を呈する。
【００３７】
そして、当該折り畳み片５５の最下位の折り畳み片５５が隣接するビニール袋の最上位の折り畳み片５５Ａに密着し、最上位の折り畳み片５５が取出口９４に密着し、もって、上述した折り畳まれた、接続されたビニール袋１０からなるビニール袋ユニット１０が、収納袋９０に収納されていることとなる。本実施例のビニール袋内臓用品１００は、以上のように構成される。
【００３８】
本実施例では、上述のように、列折れ線に沿った折り畳みを２回、行折れ線に沿った折込を交互に７回行っている。このようにして折り畳まれ形態５０の状態となったビニール袋１の折り畳み片５５の外面の大きさは、折り畳み形態２０の状態の第１の外面２および第２の外面３の大きさの１／３２と縮小される。ここで、上述した両端８、９の折込マチの部分の面の大きさまで含めると、各折り畳み片５５の外面の大きさは１／３２以内とされる。
【００３９】
ここで、Ｄ１、Ｄ２の折り畳む方向は、谷折りとしたが、山形状に谷折りしてもよい。また、上述の本実施例では、列折れ線に沿った折込を２回、行折れ線に沿った折込を交互に７回行っているが、これらの回数は上述の各折り畳み片５５の大きさが折り畳み形態２０の外面よりも１／３２以内となるものであれば別の回数であってもよい。
また、上述の通り各折り畳み片５５が折り畳まれて各領域の外面に密着される際、ビニール袋１の内部の空気が抜かれる。これにより袋内部に空気が入り込むことがなく、結果ビニール袋１をコンパクトに折り畳むことができる。
【００４０】
このようにして、本実施例のビニール袋１を複数個接続するビニール袋ユニット１０は、上述のごとく折り畳むことでコンパクトに折り畳むことができる。ここで、図４（ａ）に示した１０連のビニール袋１は、図４（ｂ）に示すように、コンパクトに折り畳まれる。ここで、図４（ｂ）に示すように、ビニール袋ユニット１０は、各ビニール袋１間に図示するように接続端１３を有している。
【００４１】
そして、以上のようにして折り畳まれ形態５０となったビニール袋ユニット１０は、図５に示すように、最上位のビニール袋１の折り畳み片５５がこの取出口９４の一面９３に密着する形態で、収納袋９０に収納される。本実施例の場合は、一面９３は収納袋９０の上面を採用しているが、別の面を採用してもよい。
【００４２】
ここで、図５に示す９６は、取り出し口９４の形状であり、これは一面９３との接続部がほぼ点に近い状態とされて他はほぼ切込みが入れられているいわゆる半抜き部とされる。これにより、取出口９４は、人力によってすぐ取り外し易い状態とされる。この取出口９４は、別の形状であってもよい。また、図示するように、最上位の折り畳み片５５は取出口９４の一面９３に密着されている。
【００４３】
本実施例のビニール袋内臓用品１００のビニール袋１０は、図６に示すように、収納体９０の取出口９４から、最上位のビニール袋１の最上面５１が取り出されることで外方に取り出される。
【００４４】
このように、本実施例によれば、収納スペースの大きいビニール袋を手の平に収まるほど小型化して携帯が容易にでき、必要に応じてすぐこのビニール袋を取り出して用いることができるビニール袋内臓用品を提供することができる。
【００４５】
本実施例のビニール袋内臓用品１００は以上の構成であるが、上述の本実施例の効果を奏するものであれば別の構造でもよく、上述した構造に限定されるものではない。
【符号の説明】
【００４６】
ＶＭ…中央列折れ線、ＶＲ…右側列折れ線、ＶＬ…左側列折れ線、Ｈ１、Ｈ２、Ｈ３、Ｈ４、Ｈ５、Ｈ６、Ｈ７…行折れ線、Ｘ１、Ｘ２、Ｘ３、Ｘ４、Ｘ５、Ｘ６、Ｘ７、Ｘ８…行の領域、Ｙ１、Ｙ２、Ｙ３、Ｙ４…列の領域、１、１Ａ、１Ｂ、１Ｃ、１Ｄ、１Ｅ、１Ｆ、１Ｇ、１Ｈ、１Ｉ…ビニール袋、２…第１の面、３…第２の面、４…第１の外面、５…第１の内面、６…第２の外面、７…第２の内面、８…右端、９…左端、１０…ビニール袋ユニット、１１…ビニール袋の上端、１２…ビニール袋の下端、１３…接続端、１５…ミシン目、１６…両端の下端部、２０、５０…折り畳まれ形態、５１…最上面、５２…最下面、５５…折り畳み片、５５Ａ…隣接する折り畳み片、９０…収納袋、９１…収納袋の内部、９３…収納袋の上面部、９４…取出口、９６…半抜き部、１００…携帯用のビニール袋内臓用品。
【図１】
0003209908.tif 000003
【図２】
0003209908.tif 000004
【図３】
0003209908.tif 000005
【図４】
0003209908.tif 000006
【図５】
0003209908.tif 000007
【図６】
0003209908.tif 000008